【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
遊技を行う遊技機であって、
表示手段の特定領域に特定画像を表示する特定画像表示手段と、
前記特定画像の視認性が低下するように前記特定領域の少なくとも一部に重ねて計数領域を配置する計数領域配置手段と、を備え、
前記計数領域に示される計数値が特定値となったときに前記特定領域に前記特定画像と異なる特殊画像が表示され、
装飾用識別情報画像の可変表示を行い表示結果を導出する可変表示手段と、
前記装飾用識別情報画像の可変表示の実行中に特定演出画像を表示可能な特定演出実行手段と、をさらに備え、
前記特定演出画像は、少なくとも前記装飾用識別情報画像の一部よりも前方側の重複する位置に配置可能であり、
前記可変表示手段は、前記装飾用識別情報画像の可変表示が開始されてから表示結果を導出する以前に、前記装飾用識別情報画像の可変表示を仮停止させてから再開する再可変表示を所定回実行可能であって、
前記特定演出実行手段は、
前記装飾用識別情報画像の可変表示の実行中において、該装飾用識別情報画像よりも前方側にて重複する位置で前記特定演出画像の表示態様を時間経過に伴い変化可能であるとともに、
前記装飾用識別情報画像の表示結果が導出される期間において、該装飾用識別情報画像よりも前方側にて重複する位置で前記特定演出画像の表示態様を静止態様とし、
前記特定演出画像の表示態様を静止態様とした後、新たな前記装飾用識別情報画像の可変表示が開始されたときに、該装飾用識別情報画像よりも前方側にて重複する位置で前記特定演出画像の表示態様を再度時間経過に伴い変化可能であり、
前記再可変表示を実行する場合の前記装飾用識別情報画像の可変表示を仮停止させる期間において、該装飾用識別情報画像よりも前方側にて重複する位置で前記特定演出画像の表示態様を静止態様とせずに時間経過に伴い変化可能であり、
前記計数領域配置手段は、前記計数領域を複数箇所において配置可能であって、複数の前記計数領域のそれぞれに対応して前記特殊画像を表示可能である、
ことを特徴とする遊技機。
【請求項２】
遊技を行う遊技機であって、
表示手段の特定領域に特定画像を表示する特定画像表示手段と、
前記特定領域の近傍領域に表示される画像の視認性が低下するように該近傍領域に重ねて計数領域を配置する計数領域配置手段と、を備え、
前記計数領域に示される計数値が特定値となったときに前記特定領域または前記近傍領域に前記特定画像と異なる特殊画像が表示され、
装飾用識別情報画像の可変表示を行い表示結果を導出する可変表示手段と、
前記装飾用識別情報画像の可変表示の実行中に特定演出画像を表示可能な特定演出実行手段と、をさらに備え、
前記特定演出画像は、少なくとも前記装飾用識別情報画像の一部よりも前方側の重複する位置に配置可能であり、
前記可変表示手段は、前記装飾用識別情報画像の可変表示が開始されてから表示結果を導出する以前に、前記装飾用識別情報画像の可変表示を仮停止させてから再開する再可変表示を所定回実行可能であって、
前記特定演出実行手段は、
前記装飾用識別情報画像の可変表示の実行中において、該装飾用識別情報画像よりも前方側にて重複する位置で前記特定演出画像の表示態様を時間経過に伴い変化可能であるとともに、
前記装飾用識別情報画像の表示結果が導出される期間において、該装飾用識別情報画像よりも前方側にて重複する位置で前記特定演出画像の表示態様を静止態様とし、
前記特定演出画像の表示態様を静止態様とした後、新たな前記装飾用識別情報画像の可変表示が開始されたときに、該装飾用識別情報画像よりも前方側にて重複する位置で前記特定演出画像の表示態様を再度時間経過に伴い変化可能であり、
前記再可変表示を実行する場合の前記装飾用識別情報画像の可変表示を仮停止させる期間において、該装飾用識別情報画像よりも前方側にて重複する位置で前記特定演出画像の表示態様を静止態様とせずに時間経過に伴い変化可能であり、
前記計数領域配置手段は、前記計数領域を複数箇所において配置可能であって、複数の前記計数領域のそれぞれに対応して前記特殊画像を表示可能である、
ことを特徴とする遊技機。
【手続補正２】
【補正対象書類名】明細書
【補正対象項目名】０００６
【補正方法】変更
【補正の内容】
【０００６】
手段Ａの遊技機は、遊技を行う遊技機であって、
表示手段の特定領域に特定画像を表示する特定画像表示手段と、
前記特定画像の視認性が低下するように前記特定領域の少なくとも一部に重ねて計数領域を配置する計数領域配置手段と、を備え、
前記計数領域に示される計数値が特定値となったときに前記特定領域に前記特定画像と異なる特殊画像が表示され、
装飾用識別情報画像の可変表示を行い表示結果を導出する可変表示手段と、
前記装飾用識別情報画像の可変表示の実行中に特定演出画像を表示可能な特定演出実行手段と、をさらに備え、
前記特定演出画像は、少なくとも前記装飾用識別情報画像の一部よりも前方側の重複する位置に配置可能であり、
前記可変表示手段は、前記装飾用識別情報画像の可変表示が開始されてから表示結果を導出する以前に、前記装飾用識別情報画像の可変表示を仮停止させてから再開する再可変表示を所定回実行可能であって、
前記特定演出実行手段は、
前記装飾用識別情報画像の可変表示の実行中において、該装飾用識別情報画像よりも前方側にて重複する位置で前記特定演出画像の表示態様を時間経過に伴い変化可能であるとともに、
前記装飾用識別情報画像の表示結果が導出される期間において、該装飾用識別情報画像よりも前方側にて重複する位置で前記特定演出画像の表示態様を静止態様とし、
前記特定演出画像の表示態様を静止態様とした後、新たな前記装飾用識別情報画像の可変表示が開始されたときに、該装飾用識別情報画像よりも前方側にて重複する位置で前記特定演出画像の表示態様を再度時間経過に伴い変化可能であり、
前記再可変表示を実行する場合の前記装飾用識別情報画像の可変表示を仮停止させる期間において、該装飾用識別情報画像よりも前方側にて重複する位置で前記特定演出画像の表示態様を静止態様とせずに時間経過に伴い変化可能であり、
前記計数領域配置手段は、前記計数領域を複数箇所において配置可能であって、複数の前記計数領域のそれぞれに対応して前記特殊画像を表示可能である、
ことを特徴とする。
さらに、手段Ｂの遊技機は、遊技を行う遊技機であって、
表示手段の特定領域に特定画像を表示する特定画像表示手段と、
前記特定領域の近傍領域に表示される画像の視認性が低下するように該近傍領域に重ねて計数領域を配置する計数領域配置手段と、を備え、
前記計数領域に示される計数値が特定値となったときに前記特定領域または前記近傍領域に前記特定画像と異なる特殊画像が表示され、
装飾用識別情報画像の可変表示を行い表示結果を導出する可変表示手段と、
前記装飾用識別情報画像の可変表示の実行中に特定演出画像を表示可能な特定演出実行手段と、をさらに備え、
前記特定演出画像は、少なくとも前記装飾用識別情報画像の一部よりも前方側の重複する位置に配置可能であり、
前記可変表示手段は、前記装飾用識別情報画像の可変表示が開始されてから表示結果を導出する以前に、前記装飾用識別情報画像の可変表示を仮停止させてから再開する再可変表示を所定回実行可能であって、
前記特定演出実行手段は、
前記装飾用識別情報画像の可変表示の実行中において、該装飾用識別情報画像よりも前方側にて重複する位置で前記特定演出画像の表示態様を時間経過に伴い変化可能であるとともに、
前記装飾用識別情報画像の表示結果が導出される期間において、該装飾用識別情報画像よりも前方側にて重複する位置で前記特定演出画像の表示態様を静止態様とし、
前記特定演出画像の表示態様を静止態様とした後、新たな前記装飾用識別情報画像の可変表示が開始されたときに、該装飾用識別情報画像よりも前方側にて重複する位置で前記特定演出画像の表示態様を再度時間経過に伴い変化可能であり、
前記再可変表示を実行する場合の前記装飾用識別情報画像の可変表示を仮停止させる期間において、該装飾用識別情報画像よりも前方側にて重複する位置で前記特定演出画像の表示態様を静止態様とせずに時間経過に伴い変化可能であり、
前記計数領域配置手段は、前記計数領域を複数箇所において配置可能であって、複数の前記計数領域のそれぞれに対応して前記特殊画像を表示可能である、
ことを特徴とする。
さらに、手段１の遊技機は、遊技を行う遊技機（例えばパチンコ遊技機１）であって、
表示装置（例えば画像表示装置５）の特定領域に特定画像（例えば飾り図柄）を表示する特定画像表示手段（例えばステップＳ１７２の処理を実行する演出制御用ＣＰＵ１２０）と、
前記特定画像の視認性が低下するように前記特定領域の少なくとも一部に重ねて計数領域を配置する計数領域配置手段（例えば透過型表示装置５０にタイマ画像ＴＭ２を表示する演出制御用ＣＰＵ１２０）と、を備え、
前記計数領域に示される計数値が特定値となったときに前記特定領域に前記特定画像とは異なる特殊画像（例えば特殊図柄）が表示される。
ことを特徴とする。